(57)【要約】【課題】排水経路に頻繁に目詰まりが生じるのを回避でき、ヘアーキャッチャーで捕集された毛髪やゴミを除去する作業の回数を減らすことのできる洗面化粧台を提供する。【解決手段】洗髪用のシャワー装置１３が取り付けられた洗面化粧台３０において、洗面ボール３１の底部に開口する排水口３２から下方に向かう主排水経路３３に併設して、主排水経路３３と切り替え可能な補助排水経路３４が設けられており、補助排水経路３４は開口面積が大きくなった排水室３７による拡幅断面部分を備えていて、この拡幅断面部分を横切って、ヘアキャッチャー３８が着脱可能に取り付けられる。補助排水経路３４は、排水口３２の下方において、主排水経路３３から枝分かれして設けられており、補助排水経路３４への枝分れ部３５に、主排水経路３３と補助排水経路３４との切り替えを行う切替え弁３６が取り付けられている。【選択図】図５
2007177554.tif 000002
【特許請求の範囲】
【請求項１】
洗髪用のシャワー装置が取り付けられた洗面化粧台において、
洗面ボールの底部に開口する排水口から下方に向かう主排水経路に併設して、該主排水経路と切り替え可能な補助排水経路が設けられており、該補助排水経路は開口面積が大きくなった拡幅断面部分を備えていて、該拡幅断面部分を横切って、ヘアキャッチャーが着脱可能に取り付けられている洗面化粧台。
【請求項２】
前記補助排水経路は、前記排水口と隣接して形成された前記排水口よりも開口面積が大きな補助排水口から下方に向かう排水経路として設けられており、前記排水口と前記補助排水口とを選択的に閉塞して、前記主排水経路と前記補助排水経路とを切り替えるようになっていると共に、前記拡幅断面部分は、前記補助排水口の直下部分に配設される請求項１に記載の洗面化粧台。
【請求項３】
前記補助排水経路は、前記排水口の下方において、前記主排水経路から枝分かれして設けられており、前記補助排水経路への枝分れ部に、前記主排水経路と前記補助排水経路との切り替えを行う切替え弁が取り付けられている請求項１に記載の洗面化粧台。
【発明の詳細な説明】
【技術分野】
【０００１】
本発明は、洗髪用のシャワー装置が取り付けられた洗面化粧台に関する。
【背景技術】
【０００２】
洗髪用のシャワー装置が取り付けられた洗面化粧台は、理髪店や美容院等の業務用としてのみならず、一般家庭においても需要が高まってきている。このような洗面化粧台では、洗面ボールの底部に開口する排水口の直下部分にヘアーキャッチャーを取り付けて、洗髪後の排除水に含まれる毛髪やゴミを捕集するようになっている（例えば、特許文献１、特許文献２参照）。
【特許文献１】特開平１０−１６８９７５号公報
【特許文献２】特開２００４−１５００３８号公報
【発明の開示】
【発明が解決しようとする課題】
【０００３】
しかしながら、洗髪用のシャワー装置が取り付けられた従来の洗面化粧台では、環境への配慮から、排除水に含まれる毛髪やゴミをヘアーキャッチャーで効果的に捕集できるようになっており、また排水経路は開口面積が大きいものではないことから、例えば洗髪時に多くの毛髪やゴミが排水口に流れ込むと、ヘアーキャッチャーで捕集された毛髪やゴミによって排水経路に目詰まりが生じやすくなり、洗面ボールからの水をスムーズに排除することが困難になる。このため、ヘアーキャッチャーを着脱して、捕集された毛髪やゴミを除去する作業を頻繁に行う必要があり、管理が煩しいものとなっていた。
【０００４】
本発明は、このような従来の課題に着目してなされたものであり、排水経路に頻繁に目詰まりが生じるのを効果的に回避できると共に、ヘアーキャッチャーで捕集された毛髪やゴミを除去する作業の回数を減らすことのできる洗面化粧台を提供することを目的とする。
【課題を解決するための手段】
【０００５】
本発明は、洗髪用のシャワー装置が取り付けられた洗面化粧台において、洗面ボールの底部に開口する排水口から下方に向かう主排水経路に併設して、該主排水経路と切り替え可能な補助排水経路が設けられており、該補助排水経路は開口面積が大きくなった拡幅断面部分を備えていて、該拡幅断面部分を横切って、ヘアキャッチャーが着脱可能に取り付けられている洗面化粧台を提供することにより、上記目的を達成したものである。
【０００６】
また、本発明の洗面化粧台によれば、前記補助排水経路は、前記排水口に隣接して形成した前記排水口よりも開口面積が大きな補助排水口から下方に向かう排水経路として設けられており、前記排水口と前記補助排水口とを選択的に閉塞して、前記主排水経路と前記補助排水経路とを切り替えるようになっていると共に、前記拡幅断面部分は、前記補助排水口の直下部分に配設されることが好ましい。
【０００７】
さらに、本発明の洗面化粧台によれば、前記補助排水経路は、前記排水口の下方において、前記主排水経路から枝分れして設けられており、前記補助排水経路への枝分れ部に、前記主排水経路と前記補助排水経路との切り替えを行う切替え弁が取り付けられていることが好ましい。
【発明の効果】
【０００８】
本発明の洗面化粧台によれば、排水経路に頻繁に目詰まりが生じるのを効果的に回避できると共に、ヘアーキャッチャーによって捕集された毛髪やゴミを除去する作業の回数を減らすことができる。
【発明を実施するための最良の形態】
【０００９】
本発明の好ましい第１実施形態に係る洗面化粧台１０は、図１（ａ），（ｂ）に示すように、洗面ボール１１の背部に、一般に取り付けられる水栓金具１２に加えて、シャワー装置１３を備えるものであり、湯水を吐出する吐出口を、水栓金具１２或いはシャワー装置１３に適宜切り替えつつ、好ましくは温度調整された湯水を供給すると共に、特にシャワー装置１３を用いることによって、洗面ボール１１において洗髪を行うことができるようになっている。
【００１０】
また、第１実施形態に係る洗面化粧台１０は、一般のシャワー装置が取り付けられた洗面化粧台と同様に、洗面ボール１１の取付け台１４には、収納用の引出し１５や、開閉扉１６が設けられており、また洗面ボール１１の背部から立設して、収納部１７ａを備える鏡壁１７が設置されている。
【００１１】
そして、本第１実施形態の洗面化粧台１０は、洗髪用のシャワー装置１３が取り付けられた洗面化粧台において、図２及び図３に示すように、洗面ボール１１の底部に開口する排水口１８から下方に向かう主排水経路１９に併設して、この主排水経路１９と切り替え可能な補助排水経路２０が設けられており、補助排水経路２０は開口面積が大きくなった拡幅断面部分２１を備えていて、この拡幅断面部分２１を横切って、図４（ａ）に示すように、ヘアキャッチャー２２が着脱可能に取り付けられている。
【００１２】
また、本第１実施形態の洗面化粧台１０によれば、補助排水経路２０は、排水口１８に隣接して形成された排水口１８よりも開口面積が大きな補助排水口２３から下方に向かう排水経路として設けられており、排水口１８と補助排水口２３とを選択的に閉塞して、主排水経路１９と補助排水経路２０とを切り替えるようになっていると共に、補助排水経路２０の拡幅断面部分２１は、補助排水口２３の直下部分に配設されている。
【００１３】
本第１実施形態では、洗面ボール１１の底部分に開口する排水口１８は、例えば１５〜２５ｍｍ程度の大きさの円形開口であって、この排水口１８には、例えば特開平１０−１６８９７５号公報に記載の洗面化粧台と同様に、排水金具本体や排水栓を備える排水金具２４が洗面ボール１１の下方から接続され、この排水金具２４の下部には、トラップ部２５ａを有する排水管２５がさらに接続されて、主排水経路１９を形成している。なお、排水金具２４の排水栓には、上記公報に記載の洗面化粧台と同様に、ヘアキャッチャーが取り付けられていると共に、排水栓は、例えばケーブルガイド内のケーブルを介して、洗面ボール１１の背部に設けたポップアップ引き棒のボタン部２６からの操作によって、排水口１８を開閉できるようになっている。
【００１４】
また、本第１実施形態では、主排水経路１９と併設して設けられる補助排水経路２０は、排水金具２４の下方において排水管２５と合流する、トラップ部２７ａを有する補助排水管２７によって形成される。補助排水管２７の上端部分は、略楕円形状に拡幅して面積が大きくなった拡幅断面部分２１となっており、この拡幅断面部分２１の上端開口面は、排水口１８よりも開口面積が大きな補助排水口２３として、洗面ボール１１の底部に排水口１８と隣接して開口する。これによって拡幅断面部分２１は、補助排水口２３の直下部分に配置されることになる。
【００１５】
さらに、本第１実施形態では、拡幅断面部分２１には、図４（ａ）に示すように、洗面ボール１１からの排除水に含まれる毛髪やゴミを捕集するヘアキャッチャー２２が、広くなった拡幅断面部分２１の開口断面を横切るようにして、着脱可能に装着される。ヘアキャッチャー２２は、図４（ｂ）に示すように、例えば下側の開口面を覆って捕集ネット２８が取り付けられたネット目皿からなる。そして、中心側に向かって下方に傾斜する扁平な円錐状のテーパー面となった拡幅断面部分２１の底面部分２１ａに、ヘアキャッチャー２２の周縁部分を載置した状態で、ヘアキャッチャー２２を拡幅断面部分２１の内部に装着することにより、ヘアキャッチャー２２の捕集ネット２８が、拡幅断面部分２１の底面部分２１ａとの間に間隔を保持しつつ、拡幅断面部分２１を横切って配置されることになる。
【００１６】
さらにまた、本第１実施形態では、拡幅断面部分２１の上端開口面による、面積の大きな略楕円形状の補助排水口２３を覆って、例えば洗面ボール１１の上方からの手作業によって着脱することにより補助排水口２３を開閉することが可能な、カバーラバーキャップ２９が設けられている。カバーラバーキャップ２９は、その周縁部分を補助排水口２３の開口周縁部分に密着した状態で取り付けられて、閉塞時に、補助排水口２３を介して洗面ボール１１からの排除水が補助排水経路２０に流入するのを遮断する。また、カバーラバーキャップ２９を補助排水口２３から取り外すことにより補助排水口２３を開放して、洗面ボール１１からの排除水を補助排水経路２０に流入させることができるようになっている。
【００１７】
上述の構成を備える本第１実施形態の洗面化粧台１０では、例えばポップアップ引き棒のボタン部２６を操作して排水口１８を開放した状態とし、且つ補助排水口２３を覆ってカバーラバーキャップ２９を取り付けた状態とすることにより、洗面ボール１１からの排除水を主排水経路１９を介して排出することが可能になる。またポップアップ引き棒のボタン部２６を操作して排水口１８を閉塞した状態とし、且つ補助排水口２３からカバーラバーキャップ２９を取り外した状態とすることにより、洗面ボール１１からの排除水を、補助排水経路１９に切り替えて排出することが可能になる。
【００１８】
そして、本第１実施形態の洗面化粧台１０によれば、排水経路（主排水経路１９）に頻繁に目詰まりが生じるのを効果的に回避できると共に、ヘアーキャッチャー２２によって補足された毛髪やゴミを除去する作業の回数を減らすことができる。すなわち、本第１実施形態によれば、洗面ボール１１の底部分に開口する排水口１８から下方に向かう主排水経路１９に併設して、主排水経路１９と切り替え可能な補助排水経路２０が設けられており、補助排水経路２０は開口面積が大きくなった拡幅断面部分２１を備えていて、拡幅断面部分２１を横切って、ヘアキャッチャー２２が着脱可能に取り付けられているので、例えば多くの毛髪やゴミが排除水に混入されると予想される洗髪時には、補助排水経路２０に切り替えて排除水を排除するようにすれば、毛髪やゴミは、大きな開口面積の拡幅断面部分２１において効率良くヘアキャッチャー２２によって捕集され、且つ主排水経路１９に設けたヘアキャッチャーには、通常の排出時における排除水に含まれる毛髪やゴミのみが捕集されるので、通常使用される主排水経路１９に頻繁に目詰まりが生じるのを、効果的に回避することが可能になる。
【００１９】
また、補助排水経路２０に設けられるヘアキャッチャー２２は、開口面積が大きくなった拡幅断面部分２１を横切って取り付けられるので、その大きな捕集面積によって、多量の毛髪やゴミを効率良く捕集できると共に、ヘアキャッチャー２２の上方に多量の毛髪やゴミを堆積させることが可能なので、ヘアーキャッチャー２２から毛髪やゴミを除去する作業の回数を減らすことが可能になる。
【００２０】
図５（ａ），（ｂ）は、本発明の好ましい第２実施形態に係る洗面化粧台３０の要部を略示すものである。本第２実施形態に係る洗面化粧台３０では、補助排水経路３４は、洗面ボール３１の排水口３２の下方において、主排水経路３３から枝分かれして設けられており、補助排水経路３４への枝分れ部３５に、主排水経路３３と補助排水経路３４との切り替えを行う切替え弁３６が取り付けられている。
【００２１】
本第２実施形態によれば、補助排水経路３４は排水室３７によって構成され、その略全体が、開口面積の大きな拡幅断面部分となっている。排水室３７の、外側に張り出して水平断面積が広がった部分には、捕集面積の大きな第１ヘアーキャッチャー３８が、排水室３７の側端部分の装着開口３９から着脱可能に挿入装着される。第１ヘアーキャッチャー３８は、例えば排水室３７の内側面に設けたガイド部材に案内されて横方向にスライド移動し、装着開口３９を介して着脱できるようになっている。また、排水室３７の外側に張り出して断面積が最も大きくなった部分の天板部３７ａには、空気孔４０が複数開口形成されている。さらに、排水室３７による補助排水経路３４の下端部分は、合流部４１を介して主排水経路３３に合流している。
【００２２】
主排水経路３３と補助排水経路３４との切り替えを行う切替え弁３６は、例えば天面板３６ａと垂直板３６ｂとからなる略Ｔ字断面形状を備えており、天面板３６ａの中央背面側部分が枝分れ部３５の開口下端縁部に回転可能に軸支され、ボタン部４２の押圧操作によって回動することにより、洗面ボール３１からの排除水を流下させる、主排水経路３３と補助排水経路３４との切り替えを行うことができるようになっている。すなわち、天面板３６ａの上半部分によって枝分れ部３５の開口を閉塞し、第２ヘアーキャッチャー４３として機能する垂直板３６ｂを主排水経路３３を横切って配置して、排除水を主排水経路３３から流下させる状態（図５（ａ）参照）と、天面板３６ａの左半部分よって主排水経路３３を閉塞し、垂直板３６ｂを枝分れ部３５の開口を覆って配置して、排除水を補助排水経路３４から流下させる状態（図５（ｂ）参照）とを、ボタン部４２の押圧操作によって容易に切り替えることができるようになっている。
【００２３】
そして、上述の構成を備える本第２実施形態の洗面化粧台３０では、上記第１実施形態の洗面化粧台１０と同様の作用効果が得られることに加えて、以下のように機能することが可能になる。すなわち、例えば洗髪を行わない通常の排水状態では、第２ヘアーキャッチャー４３を主排水経路３３を横切って配置し、主排水経路３３を経て排除水を流下させる。主排水経路３３に配置された第２ヘアーキャッチャー４３に毛髪やゴミ４４が捕集されて相当量蓄積されることにより、主排水経路３３を介して排除水を排水し難くなったら、ボタン部４２を操作して、排水経路を排水室３７による補助排水経路３４に切り替える。ボタン部４２の操作によって、切替え弁３６は回転し、枝分れ部３５の開口に配置された第２ヘアーキャッチャー４３には裏側から排水室３７に水が流入することにより、第２ヘアーキャッチャー４３に蓄積されていた毛髪やゴミ４４が排水室３７に流れ落ち、広い捕集面積の第１ヘアーキャッチャー３８に捕集される。
【００２４】
第２ヘアーキャッチャー４３に蓄積した毛髪やゴミ４４を排水室３７に流し落としたら、ボタン部４２を再び操作して、主排水経路３３を経て排除水を流下させる状態に復帰させる。これによって、ボタン部４２からの簡単な操作により第２ヘアーキャッチャー４３に蓄積した毛髪やゴミ４４を排除して、主排水経路３３に目詰まりが生じるのをより効果的に回避することが可能になる。また、排水室３７の第１ヘアーキャッチャー３８に捕集された毛髪やゴミ４４は、排水室３７の天板部３７ａに開口形成された空気孔４０を介して送られてくる外気に触れて速やかに乾燥するので、蓄積された毛髪やゴミ４４を除去する作業をさらに容易且つ衛生的に行うことが可能になる。
【００２５】
なお、本発明は上記各実施形態に限定されることなく種々の変更が可能である。例えば、上記第１実施形態において、補助排水口を覆う閉塞部材は、手作業で着脱するものである必要は必ずしもなく、排水口を閉塞する排水栓と同様に、ポップアップ引き棒のボタン部からの操作によって開閉するものであっても良い。また、上記第２実施形態において、切替え弁として略Ｔ字断面形状を備えるものを用いる必要は必ずしもない。
【図面の簡単な説明】
【００２６】
【図１】（ａ）は本発明の好ましい第１実施形態に係る洗面化粧台の斜視図、（ｂ）は一部切欠き側面図である。
【図２】本発明の好ましい第１実施形態に係る洗面化粧台の要部略示平面図である。
【図３】本発明の好ましい第１実施形態に係る洗面化粧台の要部略示正面図である。
【図４】（ａ）は第１実施形態に係る洗面化粧台の補助排水口及び拡幅断面部分の構成を説明する断面図、（ｂ）はヘアーキャッチャーの斜視図である。
【図５】（ａ）及び（ｂ）は、本発明の好ましい第２実施形態に係る洗面化粧台の構成を説明する要部略示断面図である。
【符号の説明】
【００２７】
１０，３０  洗面化粧台
１１，３１  洗面ボール
１２  水栓金具
１３  シャワー装置
１８，３２  排水口
１９，３３  主排水経路
２０，３４  補助排水経路
２１  拡幅断面部分
２２  ヘアキャッチャー
２３  補助排水口
２４  排水金具
２５  排水管
２６  ポップアップ引き棒のボタン部
２７  補助排水管
２８  捕集ネット
２９  カバーラバーキャップ
３５  枝分れ部
３６  切替え弁
３７  排水室
３８  第１ヘアーキャッチャー
３９  装着開口
４０  空気孔
４１  合流部
４２  ボタン部
４３  第２ヘアーキャッチャー
４４  毛髪やゴミ
【図１】
2007177554.tif 000003
【図２】
2007177554.tif 000004
【図３】
2007177554.tif 000005
【図４】
2007177554.tif 000006
【図５】
2007177554.tif 000007